Podtech/llm-jp-corpus-v4-ja_patent huggingface dataset:
【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
エンドレスに形成された樹脂製のベルト本体の幅方向の少なくとも片側の側縁に沿って、帯状の蛇行防止ガイドを該ベルト本体に接着させたエンドレスベルトであって、
前記蛇行防止ガイドには、該蛇行防止ガイドの長手方向の一端に厚み方向から見た凸部と、該蛇行防止ガイドの長手方向の他端に該凸部に対応する凹部とが設けてあり、該凸部と凹部とが接合部を介して向き合っており、
前記凸部の先端の面の該蛇行防止ガイドの幅方向の長さが、該蛇行防止ガイドの幅の２０〜５０％であることを特徴とするエンドレスベルト。
【請求項２】
前記凸部が、該凸部の先端の面に向かって幅が減少していることを特徴とする請求項１に記載のエンドレスベルト。
【請求項３】
前記凸部の先端の面の、前記ベルト本体の幅方向端部側が、円弧状の曲線であることを特徴とする請求項１又は請求項２に記載のエンドレスベルト。
【請求項４】
請求項１〜請求項３の何れか１項に記載のエンドレスベルトが、複数の支持ロールにより回転可能に支持されて備えられていることを特徴とする画像形成装置。
【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
基板上に形成された着色膜と、
前記着色膜上に形成された絶縁膜と、
前記絶縁膜上に形成された薄膜トランジスタと、
前記薄膜トランジスタと電気的に接続された画素電極とを有し、
前記薄膜トランジスタは、ゲート電極、ゲート絶縁膜、第１の半導体膜、ソース領域、ドレイン領域、ソース電極、およびドレイン電極を有し、
前記第１の半導体膜は、前記ゲート絶縁膜を介して前記ゲート電極上に形成され、
前記第１の半導体膜上であり、かつ前記ゲート電極と重なる位置に導電膜を設けることを特徴とする液晶表示装置。
【請求項２】
請求項１において、
前記画素電極は、前記着色膜と重なる位置に形成されることを特徴とする液晶表示装置。
【請求項３】
基板上に形成された着色膜と、
前記着色膜上に形成された絶縁膜と、
前記絶縁膜上に形成された薄膜トランジスタ、画素電極、および共通電極とを有し、
前記薄膜トランジスタと前記画素電極とは、電気的に接続されており、
前記薄膜トランジスタは、ゲート電極、ゲート絶縁膜、第１の半導体膜、ソース領域、ドレイン領域、ソース電極、およびドレイン電極を有し、
前記第１の半導体膜は、前記ゲート絶縁膜を介して前記ゲート電極上に形成され、
前記共通電極は、前記ゲート電極と同一の導電膜からなり、
前記第１の半導体膜上であり、かつ前記ゲート電極と重なる位置に導電膜を設けることを特徴とする液晶表示装置。
【請求項４】
請求項３において、
前記画素電極および前記共通電極は、前記着色膜と重なる位置に形成されることを特徴とする液晶表示装置。
【請求項５】
請求項３において、
前記画素電極または前記共通電極のいずれか一方、もしくは両方が透明導電膜で形成されることを特徴とする液晶表示装置。
【請求項６】
請求項１乃至請求項５のいずれか一において、
前記第１の半導体膜は、珪素、シリコンゲルマニウムを主成分とする非晶質半導体、または非晶質状態と結晶状態とが混在したセミアモルファス半導体からなることを特徴とする液晶表示装置。
【請求項７】
請求項１乃至請求項６のいずれか一において、
前記導電膜は、前記ソース電極、および前記ドレイン電極と同一の導電膜からなることを特徴とする液晶表示装置。
【請求項８】
請求項１乃至請求項７のいずれか一において、
前記第１の半導体膜上であり、かつ前記ゲート電極と重なる位置に、前記ソース領域および前記ドレイン領域を形成する第２の半導体膜が形成されていることを特徴とする液晶表示装置。
【請求項９】
請求項１乃至請求項８のいずれか一において、
前記第１の半導体膜上であり、かつ前記ゲート電極と重なる位置に絶縁体が形成されており、前記絶縁体上に、前記ソース領域および前記ドレイン領域を形成する第２の半導体膜と、前記導電膜とが形成されることを特徴とする液晶表示装置。
【請求項１０】
請求項１乃至請求項９のいずれか一において、
前記導電膜は、前記ゲート電極の幅よりも小さいことを特徴とする液晶表示装置。
【請求項１１】
請求項１乃至請求項１０のいずれか一において、
前記導電膜は、補助配線を介して前記ゲート電極と電気的に接続されることを特徴とする液晶表示装置。
【請求項１２】
請求項１乃至請求項１１のいずれか一において、
前記補助配線は、前記画素電極と同一の材料で形成されることを特徴とする液晶表示装置。
【請求項１３】
請求項９において、
前記絶縁体の膜厚は、前記ソース電極および前記ドレイン電極の膜厚よりも厚いことを特徴とする液晶表示装置。
【請求項１４】
基板上に着色膜を形成し、
前記着色膜上に絶縁膜を形成し、
前記絶縁膜上に第１の導電膜からなるゲート電極を形成し、
前記ゲート電極上にゲート絶縁膜を形成し、
前記ゲート絶縁膜上に第１の半導体膜を形成し、
前記第１の半導体膜上の一部であって、前記ゲート電極と重なる位置に絶縁体を形成し、
前記第１の半導体膜上に前記絶縁体により分離形成された第２の半導体膜からなるソース領域およびドレイン領域を形成し、
前記第２の半導体膜上に前記絶縁体により分離形成された第２の導電膜からなるソース電極およびドレイン電極を形成し、
前記ドレイン電極と電気的に接続された画素電極を前記着色膜と重なる位置に形成することを特徴とする液晶表示装置の作製方法。
【請求項１５】
基板上に着色膜を形成し、
前記着色膜上に絶縁膜を形成し、
前記絶縁膜上に第１の導電膜からなるゲート電極を形成し、
前記ゲート電極上にゲート絶縁膜を形成し、
前記ゲート絶縁膜上に第１の半導体膜を形成し、
前記第１の半導体膜上の一部であって、前記ゲート電極と重なる位置に絶縁体を形成し、
前記第１の半導体膜上に前記絶縁体により分離形成された第２の半導体膜からなるソース領域およびドレイン領域を形成し、
前記第２の半導体膜上に前記絶縁体により分離形成された第２の導電膜からなるソース電極、ドレイン電極、および遮光体を形成し、
前記ドレイン電極と電気的に接続された画素電極を前記着色膜と重なる位置に形成することを特徴とする液晶表示装置の作製方法。
【請求項１６】
基板上に着色膜を形成し、
前記着色膜上に絶縁膜を形成し、
前記絶縁膜上に第１の導電膜からなるゲート電極および共通電極を形成し、
前記ゲート電極および前記共通電極上にゲート絶縁膜を形成し、
前記ゲート絶縁膜上に第１の半導体膜を形成し、
前記第１の半導体膜上の一部であって、前記ゲート電極と重なる位置に絶縁体を形成し、
前記第１の半導体膜上に前記絶縁体により分離形成された第２の半導体膜からなるソース領域およびドレイン領域を形成し、
前記第２の半導体膜上に前記絶縁体により分離形成された第２の導電膜からなるソース電極、ドレイン電極、および遮光体を形成し、
前記ドレイン電極と電気的に接続された画素電極を形成し、
前記共通電極および前記画素電極が前記着色膜と重なる位置に形成されていることを特徴とする液晶表示装置の作製方法。
【請求項１７】
請求項１６において、
前記画素電極または前記共通電極のいずれか一方、もしくは両方を透明導電膜で形成することを特徴とする液晶表示装置の作製方法。
【請求項１８】
請求項１５または１６において、
前記遮光体は、前記ゲート電極の幅よりも小さいことを特徴とする液晶表示装置の作製方法。
【請求項１９】
請求項１５または１６において、
前記遮光体は、前記画素電極と同時に形成される補助配線を介して前記ゲート電極と電気的に接続されることを特徴とする液晶表示装置の作製方法。
【請求項２０】
請求項１９において、
前記補助配線は、前記画素電極と同一の材料で形成されることを特徴とする液晶表示装置の作製方法。
【請求項２１】
請求項１４乃至請求項２０のいずれか一において、
前記第１の半導体膜は、珪素、シリコンゲルマニウムを主成分とする非晶質半導体、または非晶質状態と結晶状態とが混在したセミアモルファス半導体を用いて形成することを特徴とする液晶表示装置の作製方法。
【請求項２２】
請求項１４乃至請求項２１のいずれか一において、
前記絶縁体の膜厚は、前記ソース電極および前記ドレイン電極の膜厚よりも厚いことを特徴とする液晶表示装置の作製方法。
【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
基板と、
前記基板上に形成され、超紫外線（ＥＵＶ）を反射させる材料からなる多重反射層と、を備え、
前記多重反射層は、
第１物質層と、前記第１物質層を表面処理した表面処理膜と、前記表面処理膜上に形成された第２物質層と、を備える層グループが複数個積層されて形成されたことを特徴とする反射デバイス。
【請求項２】
前記第１物質層は、シリコン層であり、前記第２物質層は、モリブデン層であることを特徴とする請求項１に記載の反射デバイス。
【請求項３】
前記表面処理膜は、前記第１物質層に酸素またはアルゴンのイオンビームで表面処理した膜であることを特徴とする請求項１または２に記載の反射デバイス。
【請求項４】
前記第１及び第２物質層は、スパッタリングにより形成されることを特徴とする請求項３に記載の反射デバイス。
【請求項５】
前記基板は、シリコンまたは石英基板であることを特徴とする請求項１に記載の反射デバイス。
【請求項６】
請求項１ないし５のうちいずれか一項に記載の反射デバイスと、
前記反射デバイスの多重反射層上に形成された吸収体パターンと、を備えることを特徴とするＥＵＶＬ用マスク。
【請求項７】
複数の反射ミラーを備え、  
前記複数の反射ミラーのうち少なくともいずれか一つとして請求項１ないし５のうちいずれか一項に記載の反射デバイスを備えることを特徴とするＥＵＶＬ用のプロジェクション光学系。
【請求項８】
マスクのパターン情報を有するビームをプロジェクション光学系によりウェーハに照射するリソグラフィ装置において、
前記プロジェクション光学系は、請求項７に記載のプロジェクション光学系を備えることを特徴とするリソグラフィ装置。
【手続補正２】
【補正対象書類名】明細書
【補正対象項目名】発明の名称
【補正方法】変更
【補正の内容】
【発明の名称】超紫外線リソグラフィ用の反射デバイス、それを適用した超紫外線リソグラフィ用マスク、プロジェクション光学系及びリソグラフィ装置
【手続補正３】
【補正対象書類名】明細書
【補正対象項目名】０００１
【補正方法】変更
【補正の内容】
【０００１】
本発明は、超紫外線リソグラフィ（Ｅｘｔｒｅｍｅ  Ｕｌｔｒａｖｉｏｌｅｔ  Ｌｉｔｈｏｇｒａｐｈｙ：ＥＵＶＬ）に使われる反射デバイス及びその製造方法に係り、特にＥＵＶを反射させるための反射層の内部ストレス（ｉｎｔｅｒｎａｌ  ｓｔｒｅｓｓ）を緩和できる反射デバイス、その反射デバイスを適用したＥＵＶＬ用マスク、プロジェクション光学系及びリソグラフィ装置に関する。
【手続補正４】
【補正対象書類名】明細書
【補正対象項目名】００１０
【補正方法】変更
【補正の内容】
【００１０】
本発明の目的は、上述したような点に鑑みてなされたものであって、ＥＵＶを反射させるための多重反射層内の相互拡散層の形成を抑制して内部ストレスを低下できるＥＵＶＬ用反射デバイス、その反射デバイスを適用したＥＵＶＬ用マスク、プロジェクション光学系及びリソグラフィ装置を提供するところにある。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
第１表示板と、
前記第１表示板と対向し、前記第１表示板と離隔される第２表示板と、
前記第１表示板と前記第２表示板との間に挟持される液晶層と、
圧力によって静電容量が変化する複数の可変キャパシタと、
前記第２表示板に形成され、前記可変キャパシタに接続される複数の基準キャパシタとを備えることを特徴とする液晶表示装置。
【請求項２】
前記可変キャパシタは、前記第１表示板に形成される第１容量電極と、前記第２表示板に形成される第２容量電極とを有することを特徴とする請求項１に記載の液晶表示装置。
【請求項３】
前記第１容量電極と前記第２容量電極との間の距離は前記圧力によって変化し、このために前記静電容量が変化することを特徴とする請求項２に記載の液晶表示装置。
【請求項４】
前記第１容量電極は、二つの値を往復する所定の電圧の印加を受けることを特徴とする請求項２に記載の液晶表示装置。
【請求項５】
前記第２表示板に形成され、前記基準キャパシタに接続される複数の感知走査線をさらに備えることを特徴とする請求項１に記載の液晶表示装置。
【請求項６】
前記第２表示板に形成され、前記可変キャパシタ及び前記基準キャパシタに接続される複数の感知データ線をさらに備えることを特徴とする請求項１に記載の液晶表示装置。
【請求項７】
前記感知データ線に接続され、前記基準キャパシタ及び前記可変キャパシタの間の接続点を所定の電圧で充電する複数のスイッチング回路をさらに備えることを特徴とする請求項６に記載の液晶表示装置。
【請求項８】
前記第２表示板に形成される複数の画像走査線と、
前記画像走査線と絶縁して交差する複数の画像データ線と、
前記画像走査線と前記画像データ線に接続されている複数の画素とをさらに備えることを特徴とする請求項１に記載の液晶表示装置。
【請求項９】
前記基準キャパシタは、前記画像走査線に接続されていることを特徴とする請求項８に記載の液晶表示装置。
【請求項１０】
複数の画像走査線と、
前記画像走査線と交差する複数の画像データ線と、
前記画像走査線と交差する複数の感知データ線と、
前記画像走査線及び前記画像データ線に接続される複数の画素と、
前記感知データ線に接続される複数の感知部とを備え、
前記画素は、液晶キャパシタと、
前記液晶キャパシタと前記画像走査線のうちの一つと前記画像データ線のうちの一つとに接続されているスイッチング素子とを有し、
前記感知部は、前記感知データ線に接続され、接触によって静電容量が変化する可変キャパシタと、
前記感知データ線及び前記可変キャパシタに接続される基準キャパシタとを有することを特徴とする液晶表示装置。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
結着樹脂及び着色剤を含有するイエロートナーであって、
前記結着樹脂が少なくともポリエステルユニットを含有し、
粉体状態における明度Ｌ＊がＬ＊＞８７を満足し、且つ色度ｂ＊が１０６＜ｂ＊＜１２０を満足する、イエロートナー。
【請求項２】
前記着色剤がモノアゾ顔料を含む、請求項１記載のイエロートナー。
【請求項３】
前記着色剤がＣ．Ｉ．ピグメントイエロー７４を含む、請求項１記載のイエロートナー。
【請求項４】
前記着色剤は、結着樹脂と着色剤とを混合する際の着色剤の個数基準の粒度分布において、メジアン粒径Ｄが４０〜１００ｎｍ以下であり、且つ粒径１５０ｎｍ以上の粒子頻度Ｄ１５０が１２％以下である、請求項１〜３のいずれか一項に記載のイエロートナー。
【請求項５】
静電潜像を担持する像担持体、該像担持体を帯電させる帯電手段、該帯電手段によって帯電された像担持体上に静電潜像を形成する潜像形成手段、前記形成された静電潜像を現像するイエロートナー、及び像担持体上に形成された静電潜像を現像してトナー画像を形成する現像手段を少なくとも有する画像形成装置であって、
前記現像手段が、前記イエロートナーを用いて現像する現像手段Ａと、イエロートナー以外のトナーを用いて現像する現像手段Ｂと、現像時に現像バイアスを印加する現像バイアス供給手段とを有し、
前記現像手段Ａによる現像時の現像バイアスと前記現像手段Ｂによる現像時の現像バイアスとが、共通の現像バイアス供給手段によって印加され、
前記イエロートナーが結着樹脂及び着色剤を含有し、前記結着樹脂が少なくともポリエステルユニットを含有し、粉体状態における明度Ｌ＊がＬ＊＞８７を満足し、且つ色度ｂ＊が１０６＜ｂ＊＜１２０を満足するイエロートナーである、画像形成装置。
【請求項６】
静電潜像を担持する像担持体、該像担持体を帯電させる帯電手段、該帯電手段によって帯電された像担持体上に静電潜像を形成する潜像形成手段、前記形成された静電潜像を現像するイエロートナー、前記像担持体上に形成された静電潜像を前記イエロートナーによっ
て現像してイエロートナー画像を形成する現像手段、該イエロートナー画像を転写材に転写する転写手段、並びに回転加熱部材及び該回転加熱部材に圧接する回転加圧部材とを有し、前記イエロートナー画像を転写材上に加熱加圧定着する定着手段を有する画像形成装置であって、
前記定着手段において、回転加圧部材が転写材を介して線圧４９０〜９８０Ｎ／ｍで回転加熱部材に対して押圧されており、
前記イエロートナーが結着樹脂及び着色剤を含有し、前記結着樹脂が少なくともポリエステルユニットを含有し、粉体状態における明度Ｌ＊がＬ＊＞８７を満足し、且つ色度ｂ＊が１０６＜ｂ＊＜１２０を満足するイエロートナーである、画像形成装置。
【手続補正２】
【補正対象書類名】明細書
【補正対象項目名】００１１
【補正方法】変更
【補正の内容】
【００１１】
本発明は以下の通りである。
（１）結着樹脂及び着色剤を含有するイエロートナーであって、
前記結着樹脂が少なくともポリエステルユニットを含有し、
粉体状態における明度Ｌ＊がＬ＊＞８７を満足し、且つ色度ｂ＊が１０６＜ｂ＊＜１２０を満足する、イエロートナー。
（２）前記着色剤がモノアゾ顔料を含む、（１）のイエロートナー。
（３）前記着色剤が、Ｃ．Ｉ．ピグメントイエロー７４を含む、（１）のイエロートナー。
（４）前記着色剤は、トナーの製造時に結着樹脂と着色剤とを混合する際の着色剤の個数基準の粒度分布において、メジアン粒径Ｄが４０〜１００ｎｍ以下であり、且つ粒径１５０ｎｍ以上の粒子頻度Ｄ１５０が１２％以下である、（１）〜（３）のいずれかのイエロートナー。
（５）静電潜像を担持する像担持体、該像担持体を帯電させる帯電手段、該帯電手段によって帯電された像担持体上に静電潜像を形成する潜像形成手段、前記形成された静電潜像を現像するイエロートナー、及び前記像担持体上に形成された静電潜像を現像してトナー画像を形成する現像手段を少なくとも有する画像形成装置であって、
該現像手段が、前記イエロートナーを用いて現像する現像手段Ａと、イエロートナー以外のトナーを用いて現像する現像手段Ｂと、現像時に現像バイアスを印加する現像バイアス供給手段を有し、
該現像手段Ａによる現像時の現像バイアスと該現像手段Ｂによる現像時の現像バイアスとが、共通の現像バイアス供給手段によって印加され、
該イエロートナーが結着樹脂及び着色剤を含有し、前記結着樹脂が少なくともポリエステルユニットを含有し、粉体状態における明度Ｌ＊がＬ＊＞８７を満足し、且つ色度ｂ＊が１０６＜ｂ＊＜１２０を満足するイエロートナーである、画像形成装置。
（６）静電潜像を担持する像担持体、該像担持体を帯電させる帯電手段、該帯電手段によって帯電された像担持体上に静電潜像を形成する潜像形成手段、前記形成された静電潜像を現像するイエロートナー、前記像担持体上に形成された静電潜像をイエロートナーによって現像して前記イエロートナー画像を形成する現像手段、該イエロートナー画像を転写材に転写する転写手段、並びに回転加熱部材及び該回転加熱部材に圧接する回転加圧部材とを有し、前記イエロートナー画像を転写材上に加熱加圧定着する定着手段を有する画像形成装置であって、
該定着手段において、前記回転加圧部材が前記転写材を介して線圧４９０〜９８０Ｎ／ｍで回転加熱部材に対して押圧されており、
該イエロートナーが結着樹脂及び着色剤を含有し、前記結着樹脂が少なくともポリエステ
ルユニットを含有し、粉体状態における明度Ｌ＊がＬ＊＞８７を満足し、且つ色度ｂ＊が１０６＜ｂ＊＜１２０を満足するイエロートナーである、画像形成装置。
【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
遊技中に所定条件が成立することによって遊技者への利益供与として遊技媒体を払い出す遊技機において、
遊技中に所定の遊技状態を検出する第１遊技状態検出手段と、
前記第１遊技状態検出手段によって所定の遊技状態が検出されたとき、遊技者への利益供与として第１遊技媒体を払い出す第１払出手段と、
遊技中に前記第１遊技状態検出手段によって検出される所定の遊技状態とは異なる遊技状態を検出する第２遊技状態検出手段と、
前記第２遊技状態検出手段によって所定の遊技状態が検出されたとき、前記第１遊技媒体とは異なり遊技者に所定の付加価値の付与に寄与する第２遊技媒体を払い出す第２払出手段と、
前記第２払出手段から払い出された第２遊技媒体を検出する第２遊技媒体検出手段と、
前記第２遊技媒体検出手段によって第２遊技媒体が検出されたとき、遊技者の遊技に対して付加価値を付与する付加価値付与手段と、
を備えたことを特徴とする遊技機。
【請求項２】
請求項１に記載の遊技機において、
前記第１遊技媒体は強磁性体によって構成されており、
前記第２遊技媒体は前記第１遊技媒体と略同一形状および略同一重量の弱磁性体または非磁性体によって構成されており、
前記第１遊技媒体検出手段は、強磁性体である前記第１遊技媒体の通過を非接触で検出する近接センサであって、
前記第２遊技媒体検出手段は、前記第１および第２遊技媒体の通過を接触または非接触で検出するセンサであって、
前記付加価値付与手段は、前記第２遊技媒体検出手段の検出結果に基づいて、遊技者の遊技に対して付加価値を付与する
ことを特徴とする遊技機。
【請求項３】
請求項１または２に記載の遊技機において、
さらに、前記第１および第２遊技媒体の入球が可能な入球手段と、
前記入球手段に前記第１および第２遊技媒体が入球したことを前記第１および第２遊技媒体検出手段のそれぞれが検出したときに、当該検出結果に基づいて当否抽選を行い、当該抽選に応じて表示手段に複数種類の表示演出の中からいずれか１つの表示演出をさせるように表示制御手段に指示する主制御手段とを備え、
かつ、前記付加価値付与手段は、前記入球手段に第２遊技媒体が入球したことを前記第２遊技媒体検出手段が検出したときに、前記複数種類の表示演出の中から大当たりとなる期待度の高い表示演出を前記表示手段にさせるように前記表示制御手段に指示する
ことを特徴とする遊技機。
【請求項４】
請求項１に記載の遊技機において、
前記第２遊技媒体は、前記付加価値の付与に寄与する情報を予め記憶し、当該情報を非接触で読み取りが可能な記録媒体を内蔵しており、
前記第２遊技媒体検出手段は、前記第２遊技媒体に内蔵された記録媒体から前記情報を読み取るリーダーであり、
前記付加価値付与手段は、前記リーダーによって読み取られた情報に基づいて遊技者の遊技に対して付加価値を付与する
ことを特徴とする遊技機。
【請求項５】
請求項４に記載の遊技機において、
さらに、前記第１および第２遊技媒体の入球を可能とする入球手段と、
前記入球手段に前記第１および第２遊技媒体のそれぞれが入球したことを前記第１および第２遊技媒体検出手段が検出したときに、当該検出結果に基づいて当否抽選を行い、当該抽選に応じて表示手段に複数種類の表示演出の中からいずれか１つの表示演出をさせるように表示制御手段に指示する主制御手段とを備え、
かつ、前記入球手段に第２遊技媒体が入球したときに、当該第２遊技媒体の記録媒体に記憶された情報を前記リーダーが読み取り、当該読み取った情報に基づいて、前記付加価値付与手段から前記主制御手段を介して前記表示手段に抽選よって、複数種類の表示演出の中から大当たりとなる期待度の高い表示演出をさせるように前記表示制御手段に指示する
ことを特徴とする遊技機。
【請求項６】
請求項４または５に記載の遊技機において、
前記遊技機は、使用した第１および第２遊技媒体が当該遊技機から排出されるとともに、少なくとも新たな第１遊技媒体が補充されるように構成されており、
使用した第２遊技媒体が排出されるとき、当該第２遊技媒体に内蔵された記録媒体に記憶された情報を消去する情報消去手段を備える
ことを特徴とする遊技機。
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
映像データを入力して、前記映像データに基づく動画を表示デバイスに表示させる信号処理装置であって、
前記動画を構成するフレームをキャプチャして印刷するキャプチャ印刷が許可されることを示す情報を表示するためのデータを、前記動画の表示中に前記表示デバイスに出力する出力回路を有する
ことを特徴とする信号処理装置。
【請求項２】
前記データには、前記キャプチャ印刷の可又は不可、前記キャプチャ印刷可能となる時刻、及び前記キャプチャ印刷可能な残り時間を提示する情報のうち、少なくとも何れか一つを含む
ことを特徴とする請求項１記載の信号処理装置。
【請求項３】
前記データを記憶する記憶部をさらに有する
ことを特徴とする請求項１又は２記載の信号処理装置。
【請求項４】
前記出力回路は、前記動画からのキャプチャ印刷が許可されるまでの時間を示す時間情報に応じて、前記記憶部から読み出された前記データを出力する
ことを特徴とする請求項３記載の信号処理装置。
【請求項５】
映像データを入力して、前記映像データに基づく動画を表示デバイスに表示させる信号処理装置の制御方法であって、
前記動画を構成するフレームをキャプチャして印刷するキャプチャ印刷が許可されることを示す情報を表示するためのデータを、前記動画の表示中に前記表示デバイスに出力するステップを有する
ことを特徴とする信号処理装置の制御方法。
【手続補正２】
【補正対象書類名】明細書
【補正対象項目名】０００１
【補正方法】変更
【補正の内容】
【０００１】
この発明は、信号処理装置およびその制御方法に関し、特に、放送局から送信される放送などの映像データを受信して表示する表示装置において、映像をキャプチャして印刷するキャプチャ印刷に適用して好適なものである。
【手続補正３】
【補正対象書類名】明細書
【補正対象項目名】０００７
【補正方法】変更
【補正の内容】
【０００７】
したがって、この発明の目的は、より簡易な構成で、より便利なキャプチャ印刷を実行することにより、ユーザに対する利便性を向上させることができ、利便性の高いサービスを提供することができる信号処理装置およびその制御方法を提供することにある。
【手続補正４】
【補正対象書類名】明細書
【補正対象項目名】０００８
【補正方法】変更
【補正の内容】
【０００８】
上記目的を達成するために、本発明に係る信号処理装置は、
映像データを入力して、前記映像データに基づく動画を表示デバイスに表示させる信号処理装置であって、
前記動画を構成するフレームをキャプチャして印刷するキャプチャ印刷が許可されることを示す情報を表示するためのデータを、前記動画の表示中に前記表示デバイスに出力する出力回路を有する
ことを特徴とする。
【手続補正５】
【補正対象書類名】明細書
【補正対象項目名】０００９
【補正方法】変更
【補正の内容】
【０００９】
また、本発明に係る信号処理装置の制御方法は、
映像データを入力して、前記映像データに基づく動画を表示デバイスに表示させる信号処理装置の制御方法であって、
前記動画を構成するフレームをキャプチャして印刷するキャプチャ印刷が許可されることを示す情報を表示するためのデータを、前記動画の表示中に前記表示デバイスに出力するステップを有する
ことを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正書】
【提出日】平成21年2月13日(2009.2.13)
【手続補正１】
【補正対象書類名】明細書
【補正対象項目名】０００２
【補正方法】変更
【補正の内容】
【０００２】
従来、撮影者にカメラの設定状態を知らせる技術が考案されている。例えば特許文献１によると、光学ズーム手段と、電子ズーム手段と、ズーム操作を行うズーム操作手段と、情報表示手段とを備えた撮像装置において、前記光学ズーム手段によるズーム状態がテレ端にあることを識別するための表示を前記情報表示手段に行うようにして、ユーザが不本意に電子ズーム拡大処理が実行されるのを防止できるようにする。
【特許文献１】特開２００３−２４４４９０号公報
【特許文献２】特開２００２−１４３８６号公報
【特許文献３】特開２００２−５１２３９号公報
【特許文献４】特開２０００−３３３０４５号公報
【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
鋼板の表面に付着した汚れを除去する為のブラシロールにおいて、前記ブラシロールはシャフトの周面にブラシ片を有するチャンネルブラシが形成されてあり、前記ブラシ片は撚り線のみ、あるいは撚り線と単線から形成されてあると共に、前記撚り線あるいは前記単線に少なくとも１本以上の導電糸が形成されてあることを特徴とするブラシロール。
【請求項２】
請求項１記載の構成よりなるブラシロールにおいて、前記ブラシロールは、導電糸入り撚り線の本数がブラシ片を構成する撚り線の総本数にたいして１０％以上３０％以下の本数が形成されてあることを特徴とするブラシロール。
【請求項３】
請求項１から２記載の構成よりなるブラシロールにおいて、撚り線と単線から形成されてあるブラシ片は、導電糸入り撚り線及び／又は導電糸の合計の本数が前記撚り線及び前記単線の総本数にたいして１０％以上３０％以下の本数が形成されてあることを特徴とするブラシロール。
【手続補正２】
【補正対象書類名】明細書
【補正対象項目名】０００９
【補正方法】変更
【補正の内容】
【０００９】
また、第２の課題解決手段は、 第１の課題解決手段のブラシロールにおいて、前記ブラシロールは、導電糸入り撚り線の本数がブラシ片を構成する撚り線の総本数にたいして１０％以上３０％以下の本数が形成されてある構成としたものである。
【手続補正３】
【補正対象書類名】明細書
【補正対象項目名】００１０
【補正方法】変更
【補正の内容】
【００１０】
また、第３の課題解決手段は、第１又は第２の課題解決手段のブラシロールにおいて、撚り線と単線から形成されてあるブラシ片は、導電糸入り撚り線及び／又は導電糸の合計の本数が前記撚り線及び前記単線の総本数にたいして１０％以上３０％以下の本数が形成されてある構成としたものである。
【手続補正４】
【補正対象書類名】明細書
【補正対象項目名】００１４
【補正方法】変更
【補正の内容】
【００１４】
第２の発明は、特に、第１の発明のブラシロールにおいて、導電糸入り撚り線の本数がブラシ片を構成する撚り線の総本数にたいして１０％以上３０％以下の本数が形成されてある。ブラシロールを構成する撚り線の総本数にたいして、導電糸入り撚り線が１０％未満である場合、導電糸による除電の効果が低くなり、火災の原因となるスパーク放電を防止できない場合がある。前記ブラシ片を構成する撚り線の総本数にたいして１０％以上の導電糸入り撚り線を構成する事により、導電糸による除電の効果が現れ火災の原因となるスパーク放電を防止できる。また、ブラシロールを構成する撚り線の総本数にたいして導電糸入り撚り線が３０％より多い場合、ブラシロールの洗浄性が落ちると共に、導電糸入り撚り線はブラシ片に使用する他の材料、例えばナイロン撚り線に比較して高価であるし、導電糸入り撚り線を３０％より多く配分しても静電気による電位差を効果的に下げる事ができない。前記の如く、導電糸入り撚り線の本数がブラシ片を構成する撚り線の総本数にたいして１０％以上３０％以下に形成する事で、安価で、確実に除電できるブラシロールを提供できる。
【手続補正５】
【補正対象書類名】明細書
【補正対象項目名】００１５
【補正方法】変更
【補正の内容】
【００１５】
第３の発明は、特に第１の発明又は第２の発明のブラシロールにおいて、撚り線と単線から形成されてあるブラシ片は、導電糸入り撚り線及び／又は導電糸の合計の本数が前記撚り線及び前記単線の総本数にたいして１０％以上３０％以下の本数が形成されてある。前記、ブラシ片を形成する前記撚り線及び前記単線の総本数にたいして導電糸入り撚り線、あるいは導電糸が１０％未満である場合、導電糸による除電効果が低くなり、火災の原因となるスパーク放電を防止できない場合がある。また、撚り線と単線から形成されてあるブラシ片は、導電糸入り撚り線あるいは導電糸が前記撚り線及び前記単線の総本数にたいして３０％以下の本数が形成されてある。導電糸入り撚り線が３０％より多い場合、洗浄性が落ちると共に、導電糸入り撚り線はブラシ片に使用する他の材料、例えばナイロンに比較して高価であるし、導電糸入り撚り線を３０％より多く配分しても静電気による電位差を効果的に下げる事ができない。前記の如く、導電糸入り撚り線が前記ブラシ片を構成する撚り線の総本数にたいして１０％以上３０％以下の本数に形成させる事で、安価で、効果的に除電できるブラシロールを提供できる。
【手続補正書】
【提出日】平成21年7月1日(2009.7.1)
【手続補正１】
【補正対象書類名】明細書
【補正対象項目名】００１９
【補正方法】変更
【補正の内容】
【００１９】
図４、図５に示すように、一本針ヘッド４の稼動状態では、色替えロッド１７が切替部材２４をクラッチ機構２３側へ移動し、ドッグ４１がクラッチ機構２３の入力レバー３３を左方へ回動し、出力レバー３２がスライド軸３１を左方へ押し込み、スライド軸３１が天秤１３を保持板２８から外してアーム２７に結合し、すべての一本針ヘッド４で天秤１３が揺動する。多針ヘッド３では、色替えロッド１７が針棒不在部２１と天秤不在部２２を縫製位置に割り出し、すべての多針ヘッド３で天秤１１が休止する。
【手続補正書】
【提出日】平成21年4月14日(2009.4.14)
【手続補正１】
【補正対象書類名】明細書
【補正対象項目名】００５６
【補正方法】変更
【補正の内容】
【００５６】
（比較例２）
前記特許文献２の実施例１に記載の方法に従ってチューイングキャンディー（Ｅ）を調製した。
すなわち、還元澱粉糖化物（ＢＸ＝７０．０）５００ｇとマルチトールシロップ（ＢＸ＝７５．０）４５０ｇおよびマンニトール２００ｇを加え、加熱撹拌しながら完全に溶解する。これに乳化剤３．０ｇを植物硬化油８０ｇに溶解したものを添加し、温度が約１３０〜約１３５℃になるまで煮詰め、チューイングキャンディーベース１，０００ｇを調製した。これを約７０〜約８０℃に保温したニーダーに入れ、水３０ｇにゼラチン２０ｇを溶解したものを加え良く混捏し、結晶を充分析出させた。
さらに、クエン酸１５ｇ、オレンジフレーバー１．５ｇおよびβ−カロチン色素製剤２ｇを添加し良く混捏した。冷却後、成型、切断し、チューイングキャンディーを調製した。
【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
画像データに基づいて肺野領域抽出処理を行う肺野領域抽出手段と、この肺野領域抽出手段で抽出した肺野領域内から肺気腫領域の検出処理を行う肺気腫領域検出手段と、この肺気腫領域検出手段による肺気腫領域を支援情報としてディスプレイに表示する支援情報表示手段とを備えた医用画像診断支援装置において、被検体の姿勢または体位による重力に基づく抽出誤差を考慮した閾値を得るための閾値設定処理を行う肺野領域解析手段を設け、前記肺気腫領域検出手段は、この肺野領域解析手段で得た閾値を用いて肺気腫領域の検出処理を行うことを特徴とする医用画像診断支援装置。
【請求項２】
前記肺野領域解析手段は、被検体に対して重力が作用する方向に複数の部分空間を形成するように前記肺野領域を分割して各部分空間毎に前記閾値を得ることを特徴とする請求項１に記載の医用画像診断支援装置。
【請求項３】
前記肺野領域解析手段は、前記部分空間ごとに設定された閾値を補間処理することにより得られた閾値補正曲線に基づき、前期肺気腫領域検出手段が肺気腫領域の検出処理に用いる閾値設定曲線を設定することを特徴とする請求項２記載の医用画像診断支援装置。
【請求項４】
各断層像単位で前記肺野領域の面積、平均値、標準偏差、平均値の９５％信頼区間の上限値および下限値、また各断層像単位で前記肺気腫領域の面積、割合、平均値、標準偏差、平均値の９５％信頼区間の上限値および下限値の少なくともいずれか一つを支援情報として算出する計測結果解析手段を設けたことを特徴とする請求項１〜３のいずれかに記載の医用画像診断支援装置。
【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域が前面に形成される遊技盤と、該遊技盤の後面側に前記遊技領域と重複するように設けられ、所定条件の成立にもとづいて所定の表示結果を導出表示する表示装置と、を備え、遊技者に有利な特定遊技状態に制御するときに前記表示装置に予め定められた特定表示結果を導出表示する遊技機において、
前記遊技盤は、背部を視認可能な板状部材によって形成され、
前記遊技盤の後面側に設けられて前記表示装置の表示内容が表示される領域以外の前記遊技領域を装飾する全体装飾部材を備え、
前記表示装置と前記全体装飾部材とにより、前記遊技領域の略全てを装飾することを特徴とする遊技機。
【請求項２】
前記全体装飾部材は、その表面に立体形状を有し、該立体形状を有する表面が前記遊技盤の後面と対面するように設置されることを特徴とする請求項１記載の遊技機。
【請求項３】
前記全体装飾部材は、前記遊技盤の後面と前記表示装置との間隙に配置され、その後方に配置する前記表示装置の表示内容を視認可能にする視認可能化手段を備えることを特徴とする請求項１又は請求項２に記載の遊技機。
【手続補正２】
【補正対象書類名】明細書
【補正対象項目名】０００１
【補正方法】変更
【補正の内容】
【０００１】
本発明は、遊技球が打ち込まれる遊技領域が前面に形成される遊技盤と、該遊技盤の後面側に前記遊技領域と重複するように設けられ、所定条件の成立にもとづいて所定の表示結果を導出表示する表示装置と、を備え、遊技者に有利な特定遊技状態に制御するときに前記表示装置に予め定められた特定表示結果を導出表示する遊技機に関するものである。
【手続補正３】
【補正対象書類名】明細書
【補正対象項目名】０００７
【補正方法】変更
【補正の内容】
【０００７】
（解決手段１）
遊技球が打ち込まれる遊技領域が前面に形成される遊技盤と、該遊技盤の後面側に前記遊技領域と重複するように設けられ、所定条件の成立にもとづいて所定の表示結果を導出表示する表示装置と、を備え、遊技者に有利な特定遊技状態に制御するときに前記表示装置に予め定められた特定表示結果を導出表示する遊技機において、前記遊技盤は、背部を視認可能な板状部材によって形成され、前記遊技盤の後面側に設けられて前記表示装置の表示内容が表示される領域以外の前記遊技領域を装飾する全体装飾部材を備え、前記表示装置と前記全体装飾部材とにより、前記遊技領域の略全てを装飾することを特徴とする。
【手続補正４】
【補正対象書類名】明細書
【補正対象項目名】０００９
【補正方法】変更
【補正の内容】
【０００９】
解決手段１に記載の遊技機によれば、遊技領域が前面に形成される遊技盤を、背部を視認可能な板状部材によって形成し、遊技盤の後面側に設けられて表示装置の表示内容が表示される領域以外の遊技領域を装飾する全体装飾部材を備えて、表示装置と全体装飾部材とにより、遊技領域の略全てを装飾するため、遊技球が転動する遊技領域から奥まった位置に全体装飾部材が配置し、遊技盤の前面側の遊技領域に全体装飾部材を配置した場合に比べて奥行幅が広がり、装飾効果が向上する。
【手続補正５】
【補正対象書類名】明細書
【補正対象項目名】００１０
【補正方法】変更
【補正の内容】
【００１０】
（解決手段２）
前記全体装飾部材は、その表面に立体形状を有し、該立体形状を有する表面が前記遊技盤の後面と対面するように設置されることを特徴とする。
【手続補正６】
【補正対象書類名】明細書
【補正対象項目名】００１２
【補正方法】変更
【補正の内容】
【００１２】
解決手段２に記載の遊技機によれば、全体装飾部材の表面に立体形状を有するため、遊技領域１２の前面にフィルムや板状パネルにデザインを施したものを配置した場合に比べて奥行幅が広がり、装飾効果が向上する。また、遊技球が転動する領域にも遊技球の転動を阻害することなく立体的な部材を設置でき、装飾効果が向上する。
【手続補正７】
【補正対象書類名】明細書
【補正対象項目名】００１６
【補正方法】変更
【補正の内容】
【００１６】
（解決手段４）
前記全体装飾部材は、前記遊技盤の後面と前記表示装置との間隙に配置され、その後方に配置する前記表示装置の表示内容を視認可能にする視認可能化手段を備えることを特徴とする。
【手続補正８】
【補正対象書類名】明細書
【補正対象項目名】００１８
【補正方法】変更
【補正の内容】
【００１８】
解決手段４に記載の遊技機によれば、遊技盤の後面と表示装置との間隙に全体装飾部材を配置し、全体装飾部材にはその後方に配置する表示装置の表示内容を視認可能にする視認可能化手段を備えるため、表示装置を全体装飾部材と遊技盤の後面との間隙に配置する場合に比べて奥行幅が広がり、装飾効果が向上する。
【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
複数の識別情報を可変表示する可変表示手段と、遊技に関する制御を司る制御手段とを筐体内に収容するとともに、当該筐体の壁部に形成された貫通孔を介して筐体外部へ出される外部接続線を有してなり、
前記可変表示手段にて所定領域に停止された識別情報が特定識別情報である場合には所定の遊技価値を付与する遊技機であって、
前記貫通孔に対し嵌め込まれる蓋部材を備え、
前記蓋部材は、
前記外部接続線を挿通する挿通孔と、
前記挿通孔の周囲において筐体内側方向に向け突出し、前記外部接続線を巻掛け可能な複数の巻掛部とを備えていることを特徴とする遊技機。
【請求項２】
前記複数の巻掛部が、前記挿通孔を中心とした同心円上に配置されていることを特徴とする請求項１に記載の遊技機。
【請求項３】
前記蓋部材は、前記巻掛部の位置より前記同心円の径方向外周側位置において、当該巻掛部と並行するように筐体内側方向に向け突出形成され、かつ、前記筐体の壁部内側において前記貫通孔の周縁部に係止される係止片を、前記各巻掛部に対応して複数備え、
並行する前記巻掛部と前記係止片との間に前記外部接続線を配置可能な隙間を持たせたことを特徴とする請求項２に記載の遊技機。
【請求項４】
並行する前記巻掛部と前記係止片とにより前記外部接続線を挟持可能としたことを特徴とする請求項３に記載の遊技機。
【手続補正書】
【提出日】平成21年4月9日(2009.4.9)
【手続補正１】
【補正対象書類名】特許請求の範囲
【補正対象項目名】請求項２
【補正方法】変更
【補正の内容】
【請求項２】
前記血栓切断部材が、前記カテーテルチューブの前記管腔内壁から該管腔内部に向けて起立した刃部を有し、該刃部は前記カテーテルチューブの先端から突出しないことを特徴とする請求項１に記載の血栓吸引カテーテル。
【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域を有した遊技盤と、
前記遊技盤の前記遊技領域内に配置され、遊技媒体を受入可能な受入口と、
前記受入口に受入れられた遊技媒体が通過可能とされ且つ遊技媒体を一つのみ通過可能な大きさとされた落下口、
前記落下口の下方に配置され所定広さの収納空間、及び
前記収納空間を介して前記落下口と連通し遊技媒体が通過可能な排出受入口
を少なくとも有する役物支持ベースと、
前記役物支持ベースの前記収納空間内に移動可能に収納支持され、該収容空間を複数に分割する隔壁部、
前記収容空間のうち前記隔壁部により分割された一方の空間に配置され遊技媒体が流通可能な流通空間、
前記流通空間が遊技者から視認可能となると前記落下口と前記流通空間とが連通可能な位置に配置されると共に前記落下口よりも大きさの大きい連通孔、及び
前記流通空間が遊技者から視認可能となると前記排出受入口と前記流通空間とが連通可能な位置に配置されると共に該流通空間から遊技媒体を排出可能な排出口
を少なくとも有する特別役物と、
前記特別役物を、前記遊技領域に遊技媒体が打ち込まれることで変化する遊技状況に応じて、前記流通空間が遊技者から視認可能又は視認不能となるように移動させる特別役物移動手段と
を備えることを特徴とする遊技機。
【請求項２】
前記特別役物は、
上下方向に延びる軸芯を中心とした円盤状に形成されるものであり、前記流通空間が遊技者から視認可能となる位置に移動すると、前記連通孔の前端部分と前記落下口とが略一致するように、前記連通孔が周方向に延びる長孔として形成された天板部、
前記天板部の下方で略同軸芯上に対向配置される円盤状の底板部、及び
前記天板部と前記底板部との間に配置され、所定位置に前記排出口が形成されるとともに、前記収納空間を前記天板部と略直交する方向に分割する前記隔壁部
を備えた役物回転体本体と、
前記役物回転体本体の前記天板部の下側に配置され、前記長孔の前端部分から後端部分に向かうに従って高さが低くなるように傾斜し遊技媒体を前記隔壁部側へ誘導可能な誘導部材と
をさらに有し、
前記特別役物移動手段は、
前記軸心を中心として前記特別役物を回転移動させる
ことを特徴とする請求項１に記載の遊技機。
【請求項３】
前記特別役物は、
前記排出口として、互いに配置位置の異なる第一排出口及び第二排出口を有するとともに、
前記第一排出口又は前記第二排出口の何れかに遊技媒体を振分ける振分手段を、さらに有する
ことを特徴とする請求項１または２に記載の遊技機。
【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
被検体の局所的脳血液量を計測する脳血液量計測部と、
前記被検体の血圧および/または心拍数を計測する血圧/心拍数計測部と、
前記脳血液量計測部および前記血圧/心拍数計測部で計測された信号を解析する解析部と、
前記解析部の出力に基づき前記被検体の局所的な脳血管の状態に関する情報を抽出する抽出部と、
前記脳血液量計測部および/または前記血圧/心拍数計測部で計測された計測結果または、前記解析部で解析された解析結果、または前記抽出部で抽出された抽出結果を表示する表示部を有し、
前記解析部は前記脳血液量計測部および血圧/心拍数計測部で計測された信号のパワースペクトルを解析し、
前記抽出部は、前記解析部の出力から、血圧および/または心拍数の第一の周波数帯域と第二の周波数帯域における第一のパワー強度比と、局所的脳血液量の前記第一の周波数帯域と前記第二の周波数帯域における第二のパワー強度比を算出し、前記第一のパワー強度比および/または前記第二のパワー強度比と第一の閾値との大小関係により、脳血管の状態に関する情報を抽出することを特徴とする生体計測装置。
【請求項２】
前記抽出部は、前記第一のパワー強度比と前記第二のパワー強度比の比と第二の閾値との大小関係により、脳血管の状態に関する情報を抽出することを特徴とする請求項１記載の生体計測装置。
【請求項３】
前記第一の周波数帯域は0.01-0.05Hzの間にあり、前記第二の周波数帯域は0.07-0.11Hzの間にあることを特徴とする請求項１記載の生体計測装置。
【請求項４】
前記解析部は前記パワースペクトルの1/ｆスペクトル成分を除く処理を行うことを特徴
とする請求項１記載の生体計測装置。
【請求項５】
前記被検体の生体情報および/または診断情報を入力する入力部を有することを特徴と
する請求項１記載の生体計測装置。
【請求項６】
前記表示部は、前記被検体の頭部の局所的な脳血管の状態に関する情報を、頭部の部位
毎に階級分けして表示することを特徴とする請求項１記載の生体計測装置。
【請求項７】
前記表示部は、前記被検体の過去の診断情報の履歴を表示することを特徴とする請求項
１記載の生体計測装置。
【請求項８】
前記脳血液量計測部および/または前記血圧/心拍数計測部で計測された計測結果または
、前記解析部で解析された解析結果、または前記抽出部で抽出された抽出結果をデータベ
ースとして記憶する記憶部を有し、
前記抽出部は前記記憶部に記憶された前記データベースおよび前記解析部の出力に基づ
き前記被検体の局所的な脳血管の状態に関する情報を抽出することを特徴とする請求項１
記載の生体計測装置。
【請求項９】
前記データベースは標準脳内血管分布情報を格納しており、
前記抽出部は前記標準脳内血管分布情報に基づき前記被検体の脳の部位毎に感度の補正
をした上で抽出を行うことを特徴とする請求項８記載の生体計測装置。
【請求項１０】
複数の被検体の確定診断情報を記憶する記憶部を有し、
前記抽出部は、前記確定診断情報を元に抽出の正答率が最大となるように前記第一の閾
値および/または前記第二の閾値の大きさを決定することを特徴とする請求項２記載の生
体計測装置。
【請求項１１】
前記脳血液量計測部は、前記被検体頭部に光を照射する複数の光照射手段と、前記光照
射手段から照射され前記被検体頭部を通過した光を検出する複数の受光手段と、前記受光
手段により検出された光から前記被検体頭部の血液量変化を算出する演算部とを有するこ
とを特徴とする請求項１記載の生体計測装置。
【請求項１２】
被検体の局所的脳血液量を計測するステップと、
前記被検体の血圧および/または心拍数を計測するステップと、
計測された前記局所的脳血液量および前記血圧および/または心拍数を解析するステッ
プと、
解析された情報に基づき前記被検体の局所的な脳血管の状態に関する情報を抽出するス
テップとを有することを特徴とする生体計測方法。
【請求項１３】
前記解析するステップでは、計測された前記局所的脳血液量および前記血圧および/ま
たは心拍数のパワースペクトルを解析することを特徴とする請求項１２記載の生体計測方
法。
【請求項１４】
前記抽出するステップでは、前記解析するステップでの解析結果から、血圧および/ま
たは心拍数の第一の周波数帯域と第二の周波数帯域における第一のパワー強度比と、局所
的脳血液量の前記第一の周波数帯域と前記第二の周波数帯域における第二のパワー強度比
を算出し、前記第一のパワー強度比および/または前記第二のパワー強度比と第一の閾値
との大小関係により、脳血管の状態に関する情報を抽出することを特徴とする請求項１２
記載の生体計測方法。
【請求項１５】
前記抽出するステップでは、前記第一のパワー強度比と前記第二のパワー強度比の比と
第二の閾値との大小関係により、脳血管の状態に関する情報を抽出することを特徴とする
請求項１４記載の生体計測方法。
【請求項１６】
前記第一の周波数帯域は0.01-0.05Hzの間にあり、前記第二の周波数帯域は0.07-0.11Hz
の間にあることを特徴とする請求項１４記載の生体計測方法。
【請求項１７】
前記解析するステップでは、前記パワースペクトルの1/ｆスペクトル成分を除く処理を
行うことを特徴とする請求項１５記載の生体計測方法。